(57)【要約】      （修正有）【課題】工具を用いずブラケットを解放可能な迅速分解式スライドレールブラケットを提供する。【解決手段】フレーム体１、弾性係合ロック部品２及び連動部品３を含む。フレーム体の端部には湾折板１１が設置され、湾折板には穿孔が設置される。弾性係合ロック部品には相対する第一端２１と第二端２２とを備え、第一端と第二端との間はフレーム体に可動接続され、第一端はフレーム体の湾折板と対応し、湾折板とは距離が隔てられている。連動部品には相対する第一端と第二端３２とを備え、第一端はフレーム体の湾折板の穿孔を貫通し、第二端により弾性係合ロック部品が連動され、弾性係合ロック部品の第二端が跳ね上げられ、第一端が連動される。【選択図】図１
0003131495.tif 000002
【実用新案登録請求の範囲】
【請求項１】
フレーム体、弾性係合ロック部品及び連動部品を含み、
該フレーム体は端部に湾折板が設置され、該湾折板には穿孔が設置され、
該弾性係合ロック部品は相対する第一端と第二端とを備え、該第一端と該第二端との間は該フレーム体に可動接続され、該第一端は該フレーム体の湾折板と対応し、該湾折板とは距離が隔てられ、
該連動部品は相対する第一端と第二端とを備え、該第一端は該フレーム体の湾折板の穿孔を貫通し、該第二端により該弾性係合ロック部品が連動され、該弾性係合ロック部品の第二端が跳ね上げられ、該第一端が連動されることを特徴とする迅速分解式スライドレールブラケット。
【請求項２】
前記弾性係合ロック部品には弾性部品が設置され、該弾性係合ロック部品と該フレーム体との間に接触固定され、該弾性係合ロック部品の第一端は該フレーム体の湾折板と対応していることを特徴とする請求項１に記載の迅速分解式スライドレールブラケット。
【請求項３】
前記弾性係合ロック部品には外蓋が設置され、該外蓋には弾片が設置され、該弾性係合ロック部品の第二端に接触固定され、該弾性係合ロック部品の第一端は該フレーム体の湾折板と対応していることを特徴とする請求項１に記載の迅速分解式スライドレールブラケット。
【請求項４】
前記連動部品の第二端によりスライドブロックが連動され、該スライドブロックにより該弾性係合ロック部品が連動され、該弾性係合ロック部品の第二端は跳ね上げられ、該第一端が連動されることを特徴とする請求項１に記載の迅速分解式スライドレールブラケット。
【請求項５】
前記スライドブロックには相対する第一端と第二端とを備え、該スライドブロックの第一端は該弾性係合ロック部品と対応し、該第二端には引き板を備えることを特徴とする請求項４に記載の迅速分解式スライドレールブラケット。
【請求項６】
前記スライドブロックには２個の突起を備え、該連動部品には対応するスライド槽を備え、該突起がスライド嵌設され、該連動部品の該スライド槽の内縁により該突起が押さえられて該スライドブロックが連動されることを特徴とする請求項４に記載の迅速分解式スライドレールブラケット。
【請求項７】
前記連動部品のスライド槽の長さは該突起の長さより長いことを特徴とする請求項６に記載の迅速分解式スライドレールブラケット。
【請求項８】
前記突起は該スライド槽内に位置し、該スライド槽の両端と距離が隔てられていることを特徴とする請求項７に記載の迅速分解式スライドレールブラケット。
【考案の詳細な説明】
【技術分野】
【０００１】
本考案は、迅速分解式スライドレールブラケットに関する。特に連動部品により弾性係合ロック部品が連動されてロックを解除し、これにより工具を用いずブラケットを解放可能な迅速分解式スライドレールブラケットに係る。
【背景技術】
【０００２】
一般のスライドレール結合ブラケットを用いて金属製サポートフレームに嵌設する運用方式は、ラックマウント式コンピュータシステム（RACK-MOUNTED COMPUTER SYSTEM）にしばしば見られる。
この類のスライドレールブラケットの設計は非常に多様であり、現在の主要な設計トレンドは、米国特許第６，６５９，５７７Ｂ２号、米国特許第６，８９１，７２７Ｂ２号、早期公開第２００６／０１５２１１５Ａ１号、台湾特許第Ｍ２８１５２０号又は台湾特許第Ｍ２８１５２５号のように工具が不要であり、迅速に分解／組み立てが可能な機能を備えるものである。
しかし、これら公知技術のブラケットは、組立て固定後、取外す時にみなブラケットの側辺から操作する必要があるため、該ブラケットの上方或いは下方にスライドレール及びブラケットを設置することができない。さもなくば、使用者は手を前方から差し入れ、曲げた手を側辺まで伸ばして、係合ロック部品の解除を操作することはできない。このように、スライドレール及びブラケットが上下に隣接して排列設置される場合に、もし１個のスライドレール及びブラケットだけを取外す必要がある時には、取外す空間を有する別のスライドレール及びブラケットを先に取外す必要があり、非常に面倒で不便である。
【考案の開示】
【考案が解決しようとする課題】
【０００３】
本考案は、上記構造の問題点を解決した迅速分解式スライドレールブラケットを提供するものである。
【課題を解決するための手段】
【０００４】
上記課題を解決するため、本考案では下記の迅速分解式スライドレールブラケットを提供する。
主に、迅速分解式スライドレールブラケットを提供するものであり、取外す時のロック解除操作の問題は解決され、工具は不要であり、しかも分解には空間の制限を受けず、すなわちそれはフレーム体、弾性係合ロック部品及び連動部品を含み、該フレーム体は端部に湾折板を設置し、該湾折板には穿孔を設置し、該弾性係合ロック部品には相対する第一端と第二端とを備え、該第一端と該第二端との間は該フレーム体に可動接続され、該第一端は該フレーム体の湾折板と対応し、しかも該湾折板とは適当な距離を隔ており、該連動部品には相対する第一端と第二端とを備え、該第一端は該フレーム体の湾折板の穿孔を貫通し、該第二端は該弾性係合ロック部品を連動させ、これにより該弾性係合ロック部品の第二端は跳ね上げられて、該第一端を連動させ、該弾性係合ロック部品には弾性部品を設置し、該弾性係合ロック部品と該フレーム体との間に接触固定され、これにより該弾性係合ロック部品の第一端は該フレーム体の湾折板と対応し、該弾性係合ロック部品には外蓋を設置し、該外蓋には弾片を設置し、該弾性係合ロック部品の第二端に接触固定され、これにより該弾性係合ロック部品の第一端は該フレーム体の湾折板と対応し、該連動部品の第二端はスライドブロックを連動させ、該スライドブロックは該弾性係合ロック部品を連動させ、これにより該弾性係合ロック部品の第二端は跳ね上げられて、該第一端を連動させ、該スライドブロックには相対する第一端と第二端とを備え、該スライドブロックの第一端は該弾性係合ロック部品と対応し、該第二端には引き板を備え、該スライドブロックには２個の突起を備え、該連動部品には対応するスライド槽を備え、該突起をスライド嵌設し、しかも該連動部品は該スライド槽の内縁により該突起を押さえて該スライドブロックを連動させ、該連動部品のスライド槽の長さは該突起の長さより長く、該突起は該スライド槽内に位置し、しかも該スライド槽の両端との間に適当な距離を隔てる迅速分解式スライドレールブラケットである。
【考案の効果】
【０００５】
上記のように、本考案においてロック解除及び解放は共に容易かつ迅速であり、しかも工具が不要である。さらに本考案の操作は快適、安全であり、しかも何らかの制限を受けず、手指をサポートフレームに挿入して操作する必要はない。空間が十分である時には、連動部品を直接操作することができ、操作の選択の幅が多様であり、より一層便利である。
【考案を実施するための最良の形態】
【０００６】
図１から図３に示すように、本考案の具体的実施例にはフレーム体１、弾性係合ロック部品２、及び連動部品３を含む。
該フレーム体１は端部に湾折板１１を設置し、該湾折板１１には穿孔１１１を設置し、該湾折板１１上には別に嵌合柱１２を固定する。
【０００７】
該弾性係合ロック部品２には相対する第一端２１と第二端２２とを備え、該第一端２１と該第二端２２との間は該フレーム体１に可動接続される。該第一端２１は該フレーム体１の湾折板１１と対応し、しかも該湾折板１１とは適当な距離を隔てる。該弾性係合ロック部品２には弾性部品２３を設置し、該弾性係合ロック部品２と該フレーム体１との間に接触固定され、これにより該弾性係合ロック部品２の第一端２１は該フレーム体１の湾折板１１と対応する。
【０００８】
該連動部品３には相対する第一端３１と第二端３２とを備え、該第一端３１は該フレーム体１の湾折板１１の穿孔１１１を貫通し、該第二端３２は該弾性係合ロック部品２を連動させる。これにより該弾性係合ロック部品２の第二端２２は跳ね上げられ、該弾性係合ロック部品２の第一端２１を連動させる。
【０００９】
本実施例中では、該連動部品３の第二端３２はスライドブロック３３を連動させ、該スライドブロック３３は該弾性係合ロック部品２を連動させる。これにより該弾性係合ロック部品２の第二端２２は跳ね上げられ、該第一端２１を連動させる。また、該スライドブロック３３には相対する第一端３３１と第二端３３２とを備え、該スライドブロック３３の第一端３３１は該弾性係合ロック部品２と対応し、該第二端３３２には引き板３３２１を備える。しかも、該スライドブロック３３には突起３３３を備え、該連動部品３には対応するスライド槽３４を備え、該突起３３３をスライド嵌設し、これにより該連動部品３は該スライド槽３４の内縁により該突起３３３を押さえられて、該スライドブロック３３を連動させる。また該連動部品３のスライド槽３４の長さは該突起３３３の長さより長い。同時に、該突起３３３は該スライド槽３４内に位置し、しかも該スライド槽３４の両端と適当な距離を隔てる。これにより、該連動部品３は実際は矩形状封鎖棒体であるが、長方形のスライド槽３４を備え、該突起３３３は該スライド槽３４中に位置し、こうして該連動部品３は後述の両種の操作形態において、十分な操作空間を有する。
【００１０】
本実施例（ブラケットはフレーム体１により代表する）は別にサポートフレーム４を対応させて使用することもできる。該サポートフレーム４上には嵌合孔４１を設置し、該フレーム体１の嵌合柱１２を嵌接組合せる。
本実施例をサポートフレーム４に設置する平面図である図３に示すように、使用者が該サポートフレーム４外からブラケット（フレーム体１により代表する）のロックを解除する時には、図４に示すように、該連動部品３の前端は引かれて該第一端３１が露出する。しかも該スライド槽３４を連動させ、その内縁により該突起３３３が押さえられる。こうして図５に示すように、該第一端３１を継続して引き、該連動部品３を引き出す。また該スライドブロック３３を連動させ、該弾性係合ロック部品２の第二端２２が押し上げられ、これにより該第二端２２は跳ね上げられ、該第一端２１は反対方向に運動し、しかも該サポートフレーム４を押さえなくなる。すなわち、ブラケットのフレーム体１のロックは解除され、取り外し可能となる。
【００１１】
また、空間が十分である時（すなわち、ブラケットに物品を未設置である時）には、図６に示すように、使用者は該連動部品３の引き板３３２１を押し引きして、直接該連動部品３により該弾性係合ロック部品２の第二端２２を押上げることができる。しかも、前記の該連動部品３を押し上げる動作中において、該スライド槽３４の前段空間は該突起３３３をスライドさせることができ、こうして該連動部品３の第一端３１が該弾性係合ロック部品２においてロック解除される前に押し出されることを防止する。
【００１２】
該弾性係合ロック部品２の弾性部品２３の形態は、その他の形態とすることもできる。本考案の別の実施例の斜視図である図７に示すように、該弾性係合ロック部品２Ａには外蓋２４Ａを設置し、該外蓋２４Ａには弾片２４１Ａを設置し、該弾性係合ロック部品２Ａの第二端２２Ａに接触固定され、これにより該弾性係合ロック部品２Ａの第一端２１Ａは該フレーム体１の湾折板１１と対応する。
【図面の簡単な説明】
【００１３】
【図１】本考案の一実施例における迅速分解式スライドレールブラケットの内側を示す斜視図である。
【図２】本考案の一実施例における迅速分解式スライドレールブラケットの外側及びサポートフレームを示す説明図である。
【図３】本考案の一実施例における迅速分解式スライドレールブラケットがサポートフレームに設置される状態を示す平面図である。
【図４】本考案の一実施例における迅速分解式スライドレールブラケットの連動部品前端が引き出され第一端が露出する状態を示す説明図である。
【図５】本考案の一実施例における迅速分解式スライドレールブラケットの第一端を引き連動部品が引き出される状態を示す説明図である。
【図６】本考案の一実施例における迅速分解式スライドレールブラケットの連動部品により弾性係合ロック部品が押し上げられた状態を示す説明図である。
【図７】本考案の別の実施例における迅速分解式スライドレールブラケットの弾性係合ロック部品の外蓋を示す斜視図である。
【符号の説明】
【００１４】
１:フレーム体、１１：湾折板、１１１：穿孔、１２：嵌合柱、２：弾性係合ロック部品、２１：第一端、２２：第二端、２３：弾性部品、３：連動部品、３１：第一端、３２：第二端、３３：スライドブロック、３３１：第一端、３３２：第二端、３３２１：引き板、３３３：突起、３４：スライド槽、４：サポートフレーム、４１：嵌合孔、２Ａ：弾性係合ロック部品、２１Ａ：第一端、２２Ａ：第二端、２４Ａ：外蓋、２４１Ａ：弾片
【図１】
0003131495.tif 000003
【図２】
0003131495.tif 000004
【図３】
0003131495.tif 000005
【図４】
0003131495.tif 000006
【図５】
0003131495.tif 000007
【図６】
0003131495.tif 000008
【図７】
0003131495.tif 000009